(57)【要約】【課題】舗装路面とコンクリート構成体との境界部分に舗装路面の排水経路の入口を設定できるコンクリート構成体、コンクリート構成体用流路部材、および、舗装路の施工方法を提供する。【解決手段】側溝ブロック１の舗装路面側の側面に、水を受け入れ可能な集水流入口８が上部に開口すると共に、該集水流入口から受け入れた水を排出する排水口９が下部に開口した流路部を設け、集水流入口が舗装路面の路面側に露出する一方、排水口が舗装路の舗装材よりも下方の地中に位置するようにした。【選択図】図３
2013253439.tif 000002
【特許請求の範囲】
【請求項１】
舗装路面の縁に沿って敷設されるコンクリート構成体であって、
該コンクリート構成体の本体の舗装路面側の側面に、水を受け入れ可能な集水流入口が上部に開口すると共に、該集水流入口から受け入れた水を排出する排水口が下部に開口した流路部を設け、
前記集水流入口が前記舗装路面側に露出する一方、前記排水口が前記舗装路の舗装材よりも下方の地中に位置するようにしたことを特徴とするコンクリート構成体。
【請求項２】
前記通水孔および前記排水口が開設された流路部材をコンクリート構成体本体の舗装路面側の外側面に装着することで、前記流路部を画成したことを特徴とする請求項１に記載のコンクリート構成体。
【請求項３】
前記コンクリート構成体本体の舗装路面側の側面に、舗装路面側とは反対側に向けて舗装路面の幅方向の途中まで窪ませて上面側および外面側が開口した集水流入空間部を形成し、
縦方向の寸法を前記集水流入空部の縦方向の寸法よりも短く設定した流路部材を、前記集水流入空間部の外面側開口を塞ぐとともに該流路部材の下方に集水流入空間部が部分的に排水口として開口する状態でコンクリート構成体本体の舗装路面側の側面に装着することで前記流路部を画成したことを特徴とする請求項１に記載のコンクリート構成体。
【請求項４】
前記蓋材は、前記流路部における前記コンクリート構成体本体とは反対側の側面の前記排水口よりも上部に、水の流入を許容する一方、舗装材の侵入を阻止する通水孔が複数開設されたフィルター部材であり、
該複数の通水孔のうちフィルター部材の下部に形成された通水孔が、前記排水口として機能するようにしたことを特徴とする請求項２または３に記載のコンクリート構成体。
【請求項５】
舗装路面の縁に沿って敷設されるコンクリート構成体本体の舗装路面側の面に装着される流路部材であって、
水を受け入れ可能な集水流入口が上部に開口すると共に、該集水流入口から受け入れた水を排出する排水口が下部に開口し、
前記コンクリート構成体本体への装着状態における舗装路面側の側面における前記排水口よりも上部に、水の流入を許容する一方、舗装材の侵入を阻止する通水孔を開設し、
前記装着状態において前記集水流入口が舗装路面側に露出する一方、前記排水口が前記舗装路の舗装材よりも下方の地中に位置するようにしたことを特徴とするコンクリート構成体用流路部材。
【請求項６】
水の流入を許容する一方、舗装材の侵入を阻止する通水孔が複数開設されたフィルター本体と、
該フィルター本体の両側部に位置し、コンクリート構成体本体の側面に止着される止着部と、を備え、
前記止着部を、装着状態におけるフィルター本体よりもコンクリート構成体本体側に突出させて、フィルター本体とコンクリート構成体本体との間に集水流入空間部を形成し、該集水流入空間部の上部に前記集水流入口が形成されるように構成し、
複数の通水孔のうちフィルター本体の下部に形成された通水孔が、前記排水口として機能するようにしたことを特徴とする請求項５に記載のコンクリート構成体用流路部材。
【請求項７】
前記請求項１から請求項４のいずれかに記載のコンクリート構成体を備えた舗装路の施工方法であって、
前記コンクリート構成体を埋設する埋設穴を掘削する穴掘削工程と、
前記埋設穴の底部に基礎層を形成する基礎層形成工程と、
前記基礎層上に前記コンクリート構成体を載置する構成体載置工程と、
前記基礎層上に載置された前記コンクリート構成体の側方に下地材および不透水性舗装材を順に敷設する舗装工程と、を含み、
前記舗装工程では、前記流路部材の排水口の上部まで下地材を形成することで、該排水口が前記不透水性舗装材よりも下方の地中に位置するように設定するとともに、前記流路部材の集水流入口を舗装路面側に露出させることを特徴とする舗装路の施工方法。
【請求項８】
前記請求項５または請求項６に記載の流路部材が装着されたコンクリート構成体を備えた舗装路の施工方法であって、
前記コンクリート構成体を埋設する埋設穴を掘削する穴掘削工程と、
前記埋設穴の底部に基礎層を形成する基礎層形成工程と、
前記基礎層上に前記コンクリート構成体を載置する構成体載置工程と、
前記コンクリート構成体本体の側面に前記流路部材を装着する流路部材装着工程と、
前記基礎層上に載置された前記コンクリート構成体の側方に下地材および不透水性舗装材を順に敷設する舗装工程と、を含み、
前記舗装工程では、前記流路部材の排水口の上部まで下地材を形成することで、該排水口が前記不透水性舗装材よりも下方の地中に位置するように設定するとともに、前記流路部材の集水流入口を舗装路面の路面側に露出させることを特徴とする舗装路の施工方法。
【発明の詳細な説明】
【技術分野】
【０００１】
本発明は、舗装路面上の水が流れ込む側溝ブロックや集水桝等のコンクリート構成体、当該コンクリート構成体の本体に止着される流路部材、および、コンクリート構成体を備えた舗装路の施工方法に関する。
【背景技術】
【０００２】
従来、舗装路の路肩には、側溝ブロックや集水桝等のコンクリート構成体で構成された排水設備を備え、舗装路面上の水（雨水など）を排水できるようになっている（例えば、特許文献１，２参照）。
【先行技術文献】
【特許文献】
【０００３】
【特許文献１】特開２０１１−１１７１３４号公報
【特許文献２】特開２０１０−０１３８９０号公報
【発明の概要】
【発明が解決しようとする課題】
【０００４】
ところで、舗装路の排水設備においては、コンクリート構成体が備える排水流路とは別途に、舗装路面上の水が流入可能な流路を設け、この流路の受入口を舗装路面とコンクリート構成体との境界部分から舗装路面側に露出させれば、舗装路面上の水を迅速に逃すことができて好ましい。上記の流路の下流側は、コンクリート構成体の排水流路に連通させるか、或いは、舗装路の舗装材よりも下に開口させることで、流路部に流入した水を逃すことができる。
【０００５】
しかしながら、舗装路においては、所謂舗装痩せにより舗装路面の縁部が沈下してコンクリート構成体との境界部分に段差が生じることがある。排水経路の受入口を舗装路とコンクリート構成体との境界部分に設定していない場合には、この段差に水が溜まってしまい、舗装路面の排水機能が低下してしまう。
【０００６】
本発明は、上記した事情に鑑みてなされたものであり、その目的は、舗装路とコンクリート構成体との境界部分に舗装路面の排水経路の入口を設定することができ、また、所謂舗装痩せが生じて舗装路とコンクリート構成体との境界部分に段差が生じたとしても、舗装路面の排水機能が低下してしまう不都合を抑制することができる排水設備のコンクリート構成体、このコンクリート構成体の本体に装着される流路部材、および、コンクリート構成体を含んで構成される排水設備を備えた舗装路面の施工方法を提供しようとするものである。
【課題を解決するための手段】
【０００７】
本発明は、上記目的を達成するために提案されたものであり、請求項１に記載のものは、舗装路面の縁に沿って敷設されるコンクリート構成体であって、
該コンクリート構成体の本体の舗装路面側の側面に、水を受け入れ可能な集水流入口が上部に開口すると共に、該集水流入口から受け入れた水を排出する排水口が下部に開口した流路部を設け、
前記集水流入口が前記舗装路面側に露出する一方、前記排水口が前記舗装路の舗装材よりも下方の地中に位置するようにしたことを特徴とするコンクリート構成体である。
【０００８】
請求項２に記載のものは、前記通水孔および前記排水口が開設された流路部材をコンクリート構成体本体の舗装路面側の外側面に装着することで、前記流路部を画成したことを特徴とする請求項１に記載のコンクリート構成体である。
【０００９】
請求項３に記載のものは、前記コンクリート構成体本体の舗装路面側の側面に、舗装路面側とは反対側に向けて舗装路面の幅方向の途中まで窪ませて上面側および外面側が開口した集水流入空間部を形成し、
縦方向の寸法を前記集水流入空部の縦方向の寸法よりも短く設定した流路部材を、前記集水流入空間部の外面側開口を塞ぐとともに該流路部材の下方に集水流入空間部が部分的に排水口として開口する状態でコンクリート構成体本体の舗装路面側の側面に装着することで前記流路部を画成したことを特徴とする請求項１に記載のコンクリート構成体である。
【００１０】
請求項４に記載のものは、前記蓋材は、前記流路部における前記コンクリート構成体本体とは反対側の側面の前記排水口よりも上部に、水の流入を許容する一方、舗装材の侵入を阻止する通水孔が複数開設されたフィルター部材であり、
該複数の通水孔のうちフィルター部材の下部に形成された通水孔が、前記排水口として機能するようにしたことを特徴とする請求項２または３に記載のコンクリート構成体である。
【００１１】
請求項５に記載のものは、舗装路面の縁に沿って敷設されるコンクリート構成体本体の舗装路面側の面に装着される流路部材であって、
水を受け入れ可能な集水流入口が上部に開口すると共に、該集水流入口から受け入れた水を排出する排水口が下部に開口し、
前記コンクリート構成体本体への装着状態における舗装路面側の側面における前記排水口よりも上部に、水の流入を許容する一方、舗装材の侵入を阻止する通水孔を開設し、
前記装着状態において前記集水流入口が舗装路面側に露出する一方、前記排水口が前記舗装路の舗装材よりも下方の地中に位置するようにしたことを特徴とするコンクリート構成体用流路部材である。
【００１２】
請求項６に記載のものは、水の流入を許容する一方、舗装材の侵入を阻止する通水孔が複数開設されたフィルター本体と、
該フィルター本体の両側部に位置し、コンクリート構成体本体の側面に止着される止着部と、を備え、
前記止着部を、装着状態におけるフィルター本体よりもコンクリート構成体本体側に突出させて、フィルター本体とコンクリート構成体本体との間に集水流入空間部を形成し、該集水流入空間部の上部に前記集水流入口が形成されるように構成し、
複数の通水孔のうちフィルター本体の下部に形成された通水孔が、前記排水口として機能するようにしたことを特徴とする請求項５に記載のコンクリート構成体用流路部材である。
【００１３】
請求項７に記載のものは、前記請求項１から請求項４のいずれかに記載のコンクリート構成体を備えた舗装路の施工方法であって、
前記コンクリート構成体を埋設する埋設穴を掘削する穴掘削工程と、
前記埋設穴の底部に基礎層を形成する基礎層形成工程と、
前記基礎層上に前記コンクリート構成体を載置する構成体載置工程と、
前記基礎層上に載置された前記コンクリート構成体の側方に下地材および不透水性舗装材を順に敷設する舗装工程と、を含み、
前記舗装工程では、前記流路部材の排水口の上部まで下地材を形成することで、該排水口が前記不透水性舗装材よりも下方の地中に位置するように設定するとともに、前記流路部材の集水流入口を舗装路面側に露出させることを特徴とする舗装路の施工方法である。
【００１４】
請求項８に記載のものは、前記請求項５または請求項６に記載の流路部材が装着されたコンクリート構成体を備えた舗装路の施工方法であって、
前記コンクリート構成体を埋設する埋設穴を掘削する穴掘削工程と、
前記埋設穴の底部に基礎層を形成する基礎層形成工程と、
前記基礎層上に前記コンクリート構成体を載置する構成体載置工程と、
前記コンクリート構成体本体の側面に前記流路部材を装着する流路部材装着工程と、
前記基礎層上に載置された前記コンクリート構成体の側方に下地材および不透水性舗装材を順に敷設する舗装工程と、を含み、
前記舗装工程では、前記流路部材の排水口の上部まで下地材を形成することで、該排水口が前記不透水性舗装材よりも下方の地中に位置するように設定するとともに、前記流路部材の集水流入口を舗装路面の路面側に露出させることを特徴とする舗装路の施工方法である。
【発明の効果】
【００１５】
本発明によれば、以下のような優れた効果を奏する。
請求項１〜４，７に記載の発明によれば、コンクリート構成体の舗装路面側の側面に、水を受け入れ可能な集水流入口が上部に開口すると共に、該集水流入口から受け入れた水を排出する排水口が下部に開口した流路部を設け、前記集水流入口が舗装路面の路面側に露出する一方、前記排水口が前記舗装路面の舗装材よりも下方の地中に位置するようにしたので、舗装路面と排水設備構成体との境界部分に舗装路面の排水経路の入口を設定することができる。したがって、舗装路面上の水を舗装路の舗装材の下方の地中へ迅速に逃すことができ、良好な排水機能を有する舗装路を実現することができる。その結果、例えば、コンクリート構成体の排水流路へ流れ込む水の量を低減することができ、雨量が比較的多い場合等において、排水流路の水がオーバーフローすることが抑制される。
【００１６】
請求項３，４に記載の発明によれば、所謂舗装痩せにより舗装路面の縁部が沈下してコンクリート構成体との境界部分に段差が生じたとしても、流路部の通水孔がこの段差箇所に露出するため、舗装痩せ部分に溜まろうとする水を露出状態の通水孔へ通して舗装材の下方の地中へ逃すことができる。これにより、舗装痩せ部分に水が溜まってしまうことがなく、舗装路面の排水機能が低下してしまう不都合を抑制することができる。
【００１７】
請求項５，６，８に記載の発明によれば、水を受け入れ可能な集水流入口が上部に開口すると共に、該集水流入口から受け入れた水を排出する排水口が下部に開口し、前記装着状態において前記集水流入口が舗装路の路面側に露出する一方、前記排水口が前記舗装路の舗装材よりも下方の地中に位置するようにしたので、舗装路とコンクリート構成体との境界部分に舗装路面の排水経路の入口を設定することができる。したがって、舗装路面上の水を舗装路の舗装材の下方の地中へ迅速に逃すことができ、良好な排水機能を有する舗装路を実現することができる。その結果、例えば、コンクリート構成体の排水流路へ流れ込む水の量を低減することができ、雨量が多い場合等において、排水流路の水がオーバーフローすることが抑制される。
【図面の簡単な説明】
【００１８】
【図１】フィルター部材を装着した側溝ブロックの説明図であり、（ａ）は正面図、（ｂ）は平面図、（ｃ）は側面図である。
【図２】フィルター部材の説明図であり、（ａ）は正面図、（ｂ）は平面図、（ｃ）は（ａ）のＡ−Ａ断面図である。
【図３】側溝ブロックを路肩に配置した舗装路面の施工手順の概略図であり、（ａ）は側溝ブロックを埋設する埋設穴を掘削する説明図、（ｂ）は埋設穴に基礎層を形成する説明図、（ｃ）は基礎層上に側溝ブロックを載置する説明図、（ｄ）は埋設穴と側溝ブロックとの隙間を埋める説明図、（ｅ）は側溝ブロックの側方を舗装する説明図である。
【図４】舗装路面の排水の流れを示す説明図である。
【図５】舗装痩せが発生した舗装路面の部分断面図である。
【図６】第２の実施形態における舗装路面の部分断面図である。
【図７】第２の実施形態におけるフィルター部材装着周辺部の部分斜視図であり、（ａ）はフィルター部材を側溝ブロックに装着する前の状態を示す図、（ｂ）はフィルター部材を側溝ブロックに装着した状態を示す図である。
【図８】第２の実施形態におけるフィルター部材の変形例について説明する斜視図であり、（ａ）はフィルター部材を側溝ブロックに装着する前の状態を示す図、（ｂ）はフィルター部材を側溝ブロックに装着した状態を示す図である。
【図９】第２の実施形態における集水流入空間部の変形例について説明する斜視図であり、（ａ）はフィルター部材を側溝ブロックに装着する前の状態を示す図、（ｂ）はフィルター部材を側溝ブロックに装着した状態を示す図である。
【図１０】フィルター部材の変形例を示す図であり、（ａ）はフィルター部材の平面図、（ｂ）は第１の実施形態に適用した場合の平面図、（ｃ）は第２の実施形態に適用した場合の平面図である。断面が円形状の排水流路を備えた側溝ブロックの側面にフィルター部材を装着した状態の概略図であり、（ａ）は正面図、（ｂ）は側面図である。
【図１１】Ｌ形側溝ブロックユニットの側面にフィルター部材を装着した状態の概略図である。
【図１２】路肩ブロックの側面にフィルター部材を装着した状態の概略図である。
【図１３】蓋材あるいは流路部材としての箱体部材の構成を説明する斜視図であり、（ａ）は下部に通水孔を開設していない構成の斜視図、（ｂ）は下部に通水孔を開設した構成の斜視図である。
【発明を実施するための形態】
【００１９】
以下、舗装路面の排水設備を構成する側溝ブロックを代表的なコンクリート構成体本体として例に挙げて、本発明を実施するための形態を図面に基づいて説明する。
図１は、フィルター部材を装着した側溝ブロックの説明図であり、（ａ）は正面図、（ｂ）は平面図、（ｃ）は側面図である。図２は、フィルター部材の説明図であり、（ａ）は正面図、（ｂ）は平面図、（ｃ）は（ａ）のＡ−Ａ断面図である。図３は、側溝ブロック１の側壁部３の上部における集水流入空間部５の近傍の要部斜視図であり、（ａ）はフィルター部材を装着する前の状態を示す図、（ｂ）はフィルター部材を装着した状態を示す図である。
【００２０】
本実施形態における排水設備は、側溝ブロック１、蓋材７、およびフィルター部材１２から概略構成され、車道などの舗装路の縁に沿って敷設される。なお、図１（ａ）において、右側が舗装路側である。この側溝ブロック１は、図１に示すように、底面部２と、該底面部２の左右両側縁から立設した左右の側壁部３とから概略構成されたコンクリート製の樋体であり、底面部２と両側壁部３とに囲まれた空部を排水流路４としている。また、両側壁部３の上部を下部よりも厚肉に設定するとともに、該上部の内側を切り欠いて蓋支持部６を形成し、両側壁部３の蓋支持部６の間に蓋材７を載置し、該蓋材７により排水流路４を上方から塞ぐように構成されている。
【００２１】
側壁部３の舗装路側の面には、耐熱性材質（耐熱樹脂や金属等）で構成されたフィルター部材１２（本発明における流路部材に相当）が、側壁部３の長尺方向に沿って複数装着される。本実施形態では、１つの側溝ブロック１に対して２つのフィルター部材１２が装着される。このフィルター部材１２は、コンクリート構成体の一部である。すなわち、フィルター部材１２が、コンクリート構成体の本体である側溝ブロック１に装着されて、本発明に係るコンクリート構成体を構成する。このフィルター部材１２は、図２に示すように、格子状に形成されて複数の通水孔１４ａが開設された平板状のフィルター本体１４と、該フィルター本体１４の両側部に位置する縦長短冊状の止着部１５とを一体的に備えて構成されている。このフィルター部材１２の通水孔１４ａを、集水流入空間部５への水の流入を許容する一方、後述する舗装路Ｒ（図４（ｅ）参照）の舗装材（骨材）の侵入を阻止する開口広さに設定している。
【００２２】
止着部１５は、側溝ブロック１への装着状態におけるフィルター本体１４よりも側溝ブロック１の側壁部側に突出させている。すなわち、止着部１５の厚みを、フィルター本体１４の厚みよりも厚くしている。このフィルター部材１２は、当該フィルター部材１２の上縁部を側壁部３の上縁部に揃えて、止着部１５を該側壁部３に当接させた状態で装着される。そして、この装着状態では、側壁部３とフィルター本体１４との間に集水流入空間部５が区画される。なお、フィルター本体１４に開設された通水孔１４ａのうち、該フィルター本体１４の下部、より具体的には、敷設状態における不透水性舗装材３７（図３（ｅ）参照）よりも下方に位置する通水孔１４ａ、および、集水流入空間部５の下部開口は、排水口９として機能する。
【００２３】
また、フィルター部材１２を側溝ブロック１の側壁部３に装着した状態では、集水流入空間部５の上部に、当該集水流入空間部５の上面側開口である集水流入口８が開口する（図２（ｂ）参照）。そして、この集水流入口８は、舗装路Ｒの路面側に露出するように構成されている（図３（ｅ）参照）。
【００２４】
次に、側溝ブロック１で構成された側溝を路肩に備えた舗装路Ｒの施工手順について、図３に基づき説明する。
まず、図３（ａ）に示すように、路床３０に、側溝ブロック１を複数個並べて埋設するための溝状の埋設穴３１を側溝ブロック１の幅（長手方向とは直交する方向に沿う幅）よりも広い幅で掘削する（穴掘削工程）。さらに、図３（ｂ）に示すように、この埋設穴３１の底部にコンクリートを打設して、側溝ブロック１が載置される基礎層３２を形成する（基礎層形成工程）。基礎層形成工程においては、基礎層３２を上面が側溝の下流側に設けられる集水桝（図示せず）へ向けて下り傾斜する状態で打設し、側溝ブロック１を基礎層３２上へ載置すると排水流路４が集水桝へ向けて下り傾斜するように構成する。
【００２５】
埋設穴３１内に基礎層３２を形成したならば、基礎層３２上に敷モルタル３３を敷設し、この敷モルタル３３上に複数の側溝ブロック１を載置する（側溝ブロック載置工程（本発明における構成体載置工程に相当））。具体的に説明すると、側溝ブロック載置工程においては、複数の側溝ブロック１を排水流路４が埋設穴３１の長手方向に沿って延在した姿勢であり、尚且つ蓋支持部６が側溝ブロック１の上側に位置する姿勢とする。また、蓋支持部６に蓋材７を載置して排水流路４を上方から覆う。なお、蓋材７を載置する作業は、側溝ブロック１を基礎層３２上に載置する前に行ってもよいが、側溝ブロック載置工程で側溝ブロック１を吊り上げる最中に蓋材７が落下する虞があるため、基礎層３２上への載置後に実行することが好適である。
【００２６】
側溝ブロック１を基礎層３２上に載置したならば、図３（ｃ）に示すように、側壁部３の舗装路側の面に、フィルター部材１２の止着部１５を両面テープや接着剤などの止着材を用いて止着する。この際、側壁部３の上縁部にフィルター部材１２の上縁を揃えた状態で側溝ブロック１にフィルター部材１２を装着する（流路部材装着工程）。これにより、側壁部３の舗装路側の面とフィルター本体１４との間に集水流入空間部５が画成される。さらに、集水流入空間部５の上部に開設された集水流入口８が側溝ブロック１の上縁に揃う状態で位置する。
【００２７】
側溝ブロック１にフィルター部材１２を装着して集水流入空間部５の外面側開口を覆ったならば、埋設穴３１と側溝ブロック１との間隙を土砂やコンクリートなどで埋め戻す（図３（ｄ）参照）。そして、側溝ブロック１の側方に砕石やアスファルト合材等を複数層に分けて敷設する（舗装工程）。具体的には、図３（ｅ）に示すように、路床３０の表面に下地材を路盤３６（例えば、砕石からなる下層路盤３６ａおよび砂からなる上層路盤３６ｂ）として敷設する。路盤３６の上面は、フィルター部材１２の下部よりも上方に位置するように設定する。すなわち、流路部材の排水口９の上部まで路盤３６を形成する。この路盤３６の上面には、さらに不透水性舗装材３７を舗装路Ｒの舗装材として敷設し、不透水性舗装材３７の表面（言い換えると、舗装路Ｒの路面）を側溝ブロック１側へ緩やかに下り傾斜した状態であり、且つ傾斜下端が側壁部３の上縁に揃うように設定する。
【００２８】
また、舗装工程では、側溝ブロック１と舗装材との間に装着状態のフィルター部材１２を介在させ、集水流入空間部５の集水流入口８を舗装路Ｒの路面側に露出させる。したがって、舗装路Ｒと側溝ブロック１との境界部分に舗装路Ｒの流路部材の入口を設定することができる。このようにして施工された舗装路Ｒにおいては、雨が降る等して路面に水が溜まろうとすると、この水は、図４に示すように、舗装路Ｒとしての不透水性舗装材３７の傾斜上面を側溝ブロック１側に向かって流下する。舗装路Ｒと側溝ブロック１との境界部分に舗装路Ｒの排水経路の入口を設定しているので、舗装路Ｒ上の水を迅速に集水流入口８から集水流入空間部５へと流下させ、さらには排水口９として機能するフィルター本体１４の下部の通水孔１４ａまたは集水流入空間部５の下部開口から不透水性舗装材３７の下の路盤３６側、即ち、地中に排水されて拡散される。したがって、良好な排水機能を有する舗装路Ｒ（水捌けのよい舗装路Ｒ）を実現することができる。その結果、側溝ブロック１の排水流路４へ流れ込む水の量を低減することができ、雨量が比較的多い場合等において、排水流路４の水がオーバーフローすることが抑制される。
【００２９】
また、図５に示すように、所謂舗装痩せにより舗装路Ｒの不透水性舗装材３７の縁部（側溝ブロック１側の縁部）が沈下して側溝ブロック１との境界部分に段差が生じることが考えられる。しかしながら、この段差が生じたとしても、フィルター本体１４の上部に開設された通水孔１４ａがこの段差箇所に露出するため、舗装痩せ部分に溜まろうとする水を露出状態の通水孔１４ａから集水流入空間部５を通して排水口から路盤３６側に排水させることができる。これにより、舗装痩せ部分に水が溜まってしまうことがなく、舗装路Ｒの排水機能が低下してしまう不都合を抑制することができる。
【００３０】
なお、フィルター部材１２は、舗装路Ｒの施工現場で側溝ブロック１を基礎層３２に載置する前に予め装着してもよい。すなわち、舗装路Ｒの施工を開始する前にフィルター部材１２の装着を行えば、舗装路Ｒの施工においてはフィルター装着工程を実行しなくてもよい。また、舗装路Ｒの施工現場でフィルター部材１２を側溝ブロック１に装着することに限定されない。例えば、工場において側溝ブロック１にフィルター部材１２を装着し、この状態で出荷された側溝ブロック１を舗装路Ｒの施工現場に搬入してもよい。
【００３１】
図６および図７は、第２の実施形態について説明する図である。図６は、本実施形態における側溝ブロック１および舗装路の部分断面図である。また、図７は、本実施形態におけるフィルター部材１２の装着箇所の部分斜視図であり、（ａ）は側溝ブロック１にフィルター部材１２を装着する前の状態を示す図、（ｂ）は側溝ブロック１にフィルター部材１２を装着した状態を示す図である。本実施形態においては、側溝ブロック１の舗装路面側の側壁部３の上部の厚肉部分に、外面側から内面側（舗装路Ｒ側とは反対側）に向けて道路の幅方向（即ち、壁厚方向）の途中まで窪ませて集水流入空間部５を形成している点に特徴を有している。この集水流入空間部５は、底部５ａと両側面部５ｂと背面部５ｃとに囲まれ、上面側と側壁部３の側面側（外面側）の２面が開口した空部である。この集水流入空間部５の外面側開口の縦方向および横方向の寸法は、フィルター部材１２の対応する各方向の寸法よりもそれぞれ小さく設定してある。この変形例におけるフィルター部材１２は、フィルター本体１４と止着部１５の厚みが一定な平板状のフィルター部材であり、本発明における流路部材として機能する。上記第１の実施形態と同様に、フィルター本体１４の全面には、複数の通水孔１４ａを格子状に開設してある。
【００３２】
そして、上記フィルター部材１２は、当該フィルター部材１２の上縁部を側壁部３の上縁部に揃え、集水流入空間部５の外面側開口を塞ぐ状態で、側壁部３における集水流入空間部５の外面側開口周縁部に装着される。これにより、側壁部３（詳しくは、背面部５ｃ）とフィルター本体１４との間に集水流入空間部５が画成される。また、フィルター部材１２を側溝ブロック１の側壁部３に装着した状態では、集水流入空間部５の上部に、当該集水流入空間部５の上面側開口である集水流入口８が開口する（図６および図７（ｂ）参照）。そして、この集水流入口８は、舗装路Ｒの路面側に露出するように構成されている（図６参照）。さらに、フィルター本体１４に開設されている複数の通水孔１４ａのうち、フィルター本体１４の下部、具体的には、不透水性舗装材３７の下方に位置する通水孔１４ａは、排水口９として機能し、集水流入口８または通水孔１４ａから集水流入空間部５に流入した水を路盤３６側、即ち、地中に排水させることができる。その他の構成については、上記第１の実施形態と同様であるため、その説明を省略する。
【００３３】
なお、フィルター部材１２の縦方向の寸法に関し、集水流入空間部５の外面側開口の縦方向の寸法よりも短く設定しても良い。この場合、該フィルター部材１２を、その上縁部を側壁部３の上縁部に揃え、集水流入空間部５の外面側開口を塞ぐ状態で側壁部３に装着した際、該フィルター部材１２の下方に集水流入空間部５が部分的に開口する。そして、この開口部分を排水口９として機能させることもできる。したがって、このフィルター部材１２は、集水流入空間５の外面開口の蓋として機能する。
【００３４】
図８は、上記第２の実施形態におけるフィルター部材１２の変形例について説明する部分斜視図であり、（ａ）は側溝ブロック１にフィルター部材１２を装着する前の状態を示す図、（ｂ）は側溝ブロック１にフィルター部材１２を装着した状態を示す図である。格子状のフィルター本体１４の上端部から側溝ブロック１の側面側に向けて庇部１６を延出している点に特徴を有している。すなわち、このフィルター部材１２は、格子状のフィルター本体１４のうち縦向き仕切り部および止着部１５の上部を略直角に屈曲して、屈曲部分から先を庇部１６としている。したがって、このフィルター部材１２は、側方視倒Ｌ字状を呈する。また、庇部１６における仕切り部同士の間隙、および、止着部１５とこれに隣り合う仕切り部との間隙は、水の流入を許容する一方、舗装路Ｒの舗装材の侵入を阻止する寸法に設定し、これらの間隙が通水孔１４ａとして機能するように構成している。そして、側壁部３の上面に庇部１６を係止させると共に集水流入空間部５の外面側開口を覆う状態で側溝ブロック１にフィルター部材１２を装着すると、図８（ｂ）に示すように、集水流入空間部５の上部には、庇部１６の通水孔１４ａによる複数の集水流入口８が画成される。このように構成することで、舗装路Ｒの舗装材等の異物が、集水流入口８から集水流入空間部５内に侵入することが抑制される。その他の構成については、図７のフィルター部材１２と同様であるため、その説明を省略する。
【００３５】
図９は、上記第２の実施形態における集水流入空間部５の変形例について説明する斜視図であり、（ａ）はフィルター部材１２を側溝ブロック１に装着する前の状態を示す図、（ｂ）はフィルター部材１２を側溝ブロック１に装着した状態を示す図である。この変形例における集水流入空間部５は、その上部に複数（図９の例では、５つ）のリブ状の突起部１７を備えている点に特徴を有している。各突起部１７は、集水流入空間部５の上部開口側（側壁部３の上縁側）から下方に向けて、集水流入空間部５の高さ方向の途中まで延びている。集水流入空間部５の背面部５ｃからの突起部１７の突出寸法は、集水流入空間部５の深さ（側壁部３の外面側から内面側への後退量）に揃えている。これらの突起部１７は、側壁部３の長手方向に沿って互いに間隔を空けて複数横並びで形成している。また、集水流入空間部５の側面部５ｃと、各突起部１７のうちの両端部に位置する突起部１７との間隔、および、隣り合う突起部１７同士の間隔を、水の流入を許容する一方、舗装路Ｒの舗装材の侵入を阻止する寸法に設定している。また、突起部１７の幅（突起並設方向の幅）は、隣り合う突起部同士の間隔と揃えてある。
【００３６】
そして、側壁部３の上縁部にフィルター部材１２の上縁を揃えると共に集水流入空間部５の外面側開口を覆う状態で側溝ブロック１にフィルター部材１２を装着すると、集水流入空間部５の上部には、複数の集水流入口８が側溝ブロック１の上縁に揃う状態で形成される。このように構成することで、舗装路Ｒの舗装材等の異物が、集水流入口８から集水流入空間部５内に侵入することが抑制される。また、フィルター部材１２としては、一般的な平板状のものを使用することができる。なお、突起部１７の形状・寸法、およびその形成数については例示したものには限られない。要は、側溝ブロック１にフィルター部材１２を装着した状態で、水の流入を許容する一方、舗装路Ｒの舗装材の侵入を阻止する寸法に設定された集水流入口８が集水流入空間部５の上部に形成されるものであれば良い。
【００３７】
図１０は、フィルター部材１２の他の変形例について説明する図であり、（ａ）は本変形例のフィルター部材１２の平面図、（ｂ）は第１の実施形態に適用した場合の平面図、（ｃ）は第２の実施形態に適用した場合の平面図である。この変形例のフィルター部材１２は、格子状のフィルター本体１４が敷設状態における舗装路面側に向けて平面視アーチ状に彎曲して膨出している点に特徴を有している。このようにすることで、側方の舗装材から受ける力に対するフィルター本体１４の強度を向上させることができる。これにより、舗装材の敷設時に当該舗装材側から力を受けた場合においてもフィルター本体１４が変形して集水流入空間部５が塞がれることが抑制され、以て、排水性能の低下を抑制することができる。また、平板状のフィルター本体１４と比較して、当該変形例のフィルター本体１４の面積がより広くなり、排水方向も扇形に拡散されるので、排水が一箇所に集中することが抑制される。このため、排水された水に起因して舗装材の下方が部分的に軟弱になることが低減される。その他の構成については、上記各例のフィルター部材１２と同様であるため、その説明を省略する。
【００３８】
ここで、上記各実施形態では、コンクリート構成体本体として側溝ブロック１を例示したが、本発明はこれに限定されない。例えば、図１１に示すように、断面が略倒Ｌ字状の側溝ブロック１′にも本発明を適用することができる。この側溝ブロック１′は、下面が平坦な基板部４２と、この基板部４２の歩道４１側の側縁から上方に起立した側壁部４３とから構成されている。基板部４２の上面は、舗装路Ｒとしての車道側の端部（図１１における右側の端部）から側壁部４３側に向けて緩やかに傾斜している。そして、この基板部４２の上面の傾斜下端は、舗装路Ｒの路面よりも低く設定され、この傾斜下端部と側壁部４３とにより区画される低い領域が排水流路４として機能するようになっている。この例において、フィルター部材１２は、この側溝ブロック１′の基板部４２の舗装路面側の端部に装着することで、舗装路Ｒと側溝ブロック１′との境界部分に舗装路Ｒの排水経路の入口が設定される。これにより、舗装路Ｒ上の水を迅速に集水流入口８から集水流入空間部５へと流下させ、排水口として機能するフィルター本体１４の下部の通水孔１４ａまたは集水流入空間部５の下部開口から不透水性舗装材３７の下に排水させることができる。
さらに、図１２に示すように、路肩ブロック４７と、該路肩ブロック４７を載置する基礎層４８および敷モルタル４９とで、舗装路Ｒの縁に沿った路肩部５０（コンクリート構成体本体に相当）を構成し、該路肩部５１の舗装路Ｒ側の側面（端面）にフィルター部材１２等の流路部材を装着してもよい。また、車道や歩道などの舗装路に限られず、例えば、駐車場などの舗装路にも本発明を適用することができる。
【００３９】
なお、上記各実施形態では、本発明における流路部材としてフィルター部材１２を例示したが、これには限られない。集水流入空間部５を画成することができ、集水流入空間部５への水の流入を許容する一方、舗装路Ｒの舗装材の侵入を阻止する開口広さに設定された通水孔１４ａを有するものであれば、既存の種々のものを採用することができる。例えば、図１３（ａ）に示すように、上面と下面が開口した箱形の部材４５を本発明における流路部材とすることも可能である。この場合、少なくとも、箱形部材４５の舗装路側の面の上部に通水孔１４ａを開設し、下方の開口を排水口９として機能させることができる形状であれば良い。また、図１３（ｂ）に示すように、箱形部材４５の舗装路側の面の下部に通水孔１４ａを開設しても良い。この構成の場合、下部の通水孔１４ａが排水口９として機能するので、箱形部材４５の下端側開口を塞いだ形状とすることもできる。また、箱形の形状に限られず、図１０に例示したフィルター部材１２の変形例のように、平面視でアーチ型に彎曲する形状のもの、或いは、パイプ状のものであっても良い。
【符号の説明】
【００４０】
１  側溝ブロック
２  底面部
３  側壁部
４  排水流路
５  集水流入空間部
５ａ  底部
５ｂ  側面部
５ｃ  背面部
６  蓋支持部
７  蓋材
８  集水流入口
１２  フィルター部材
１４  フィルター本体
１４ａ  通水孔
１５  止着部
１６  庇部
１７  リブ状部
３０  路床
３１  埋設穴
３２  基礎層
３３  敷モルタル
３６  路盤
３６ａ  下層路盤
３６ｂ  上層路盤
３７  不透水性舗装材
４１  歩道
４２  基板部
４３  側壁部
４５  箱形部材
【図１】
2013253439.tif 000003
【図２】
2013253439.tif 000004
【図３】
2013253439.tif 000005
【図４】
2013253439.tif 000006
【図５】
2013253439.tif 000007
【図６】
2013253439.tif 000008
【図７】
2013253439.tif 000009
【図８】
2013253439.tif 000010
【図９】
2013253439.tif 000011
【図１０】
2013253439.tif 000012
【図１１】
2013253439.tif 000013
【図１２】
2013253439.tif 000014
【図１３】
2013253439.tif 000015